(57)【要約】【課題】室内照明と空調のエネルギー消費を抑制することができる輻射式空調システムを提供する。【解決手段】太陽光２の差し込む窓面４に設けられ、室内６への採光を調節するブラインド１２であって、水平方向に延びる羽根１６を鉛直方向に間隔を持って多数配列し、羽根１６で反射した太陽光２ａが上部の羽根１６ほど室奥Ｂの天井に向かい、下部の羽根１６ほど窓際Ａの天井に向かうように、羽根１６の傾斜角度を、上部の羽根１６から下部の羽根１６にかけて順次変化させたブラインド１２と、羽根１６で反射した太陽光２ａが向かう天井面８に設けられ、赤外線を吸収する機能を有した冷暖房用の輻射パネル１４とを備えるようにする。【選択図】図１
2011002106.tif 000002
【特許請求の範囲】
【請求項１】
太陽光の差し込む窓面に設けられ、室内への採光を調節するブラインドであって、水平方向に延びる羽根を鉛直方向に間隔を持って多数配列し、前記羽根で反射した太陽光が上部の羽根ほど室奥の天井に向かい、下部の羽根ほど窓際の天井に向かうように、前記羽根の傾斜角度を、上部の羽根から下部の羽根にかけて順次変化させたブラインドと、
前記羽根で反射した太陽光が向かう天井面に設けられ、赤外線を吸収する機能を有した冷暖房用の輻射パネルとを備えることを特徴とする輻射式空調システム。
【請求項２】
前記輻射パネルは、室外の熱交換器に接続された冷温水配管を有し、温度調節が可能なパネルであることを特徴とする請求項１に記載の輻射式空調システム。
【請求項３】
室外の外光の強さを検出する外光センサをさらに備え、このセンサで検出した外光の強さに応じて室内照明の出力を制御することを特徴とする請求項１または２に記載の輻射式空調システム。
【請求項４】
前記輻射パネルは、可視光線を反射する部材であることを特徴とする請求項１〜３のいずれか一つに記載の輻射式空調システム。
【発明の詳細な説明】
【技術分野】
【０００１】
本発明は、輻射式空調システムに関するものである。
【背景技術】
【０００２】
従来、室内の冷暖房を行う空調システムは、空気を媒体とした対流式空調システムが一般的に用いられる。一方、部屋の窓側に設置されるブラインドは、各羽根の傾斜角度が一定であり、上下昇降による開閉と、羽根の傾斜角度を変えることによる開閉が行えるものを採用するのが一般的である（例えば、特許文献１および２参照）。このため、日射が強い日には、ブラインドを下げて日射の進入を遮ることで、外光の眩しさと直達日射による熱の侵入を防止している。
【先行技術文献】
【特許文献】
【０００３】
【特許文献１】特開平１１−３１５６７３号公報
【特許文献２】特開平１０−３１７８５０号公報
【発明の概要】
【発明が解決しようとする課題】
【０００４】
ところで、上記の対流式空調システムとブラインドとを併用する空調システムを考えた場合、次の２つの課題が生じる。第一に、日射を遮るためのブラインドが可視光線も遮ることとなるため、外光を十分に利用することができなくなる。このため、昼間でも窓際の照明が必要となり、照明エネルギー消費の増大につながる。
【０００５】
第二に、日射は遮ることができるが、日射の熱成分である赤外線は室内に取り込まれ、ペリメータの熱負荷が増大する。このため、ペリメータ専用の空調システムが必要となり、空調エネルギー消費の増大につながる。
【０００６】
本発明は、上記に鑑みてなされたものであって、室内照明と空調のエネルギー消費を抑制することができる輻射式空調システムを提供することを目的とする。
【課題を解決するための手段】
【０００７】
上記した課題を解決し、目的を達成するために、本発明の請求項１に係る輻射式空調システムは、太陽光の差し込む窓面に設けられ、室内への採光を調節するブラインドであって、水平方向に延びる羽根を鉛直方向に間隔を持って多数配列し、前記羽根で反射した太陽光が上部の羽根ほど室奥の天井に向かい、下部の羽根ほど窓際の天井に向かうように、前記羽根の傾斜角度を、上部の羽根から下部の羽根にかけて順次変化させたブラインドと、前記羽根で反射した太陽光が向かう天井面に設けられ、赤外線を吸収する機能を有した冷暖房用の輻射パネルとを備えることを特徴とする。
【０００８】
また、本発明の請求項２に係る輻射式空調システムは、上述した請求項１において、前記輻射パネルは、室外の熱交換器に接続された冷温水配管を有し、温度調節が可能なパネルであることを特徴とする。
【０００９】
また、本発明の請求項３に係る輻射式空調システムは、上述した請求項１または２において、室外の外光の強さを検出する外光センサをさらに備え、このセンサで検出した外光の強さに応じて室内照明の出力を制御することを特徴とする。
【００１０】
また、本発明の請求項４に係る輻射式空調システムは、上述した請求項１〜３のいずれか一つにおいて、前記輻射パネルは、可視光線を反射する部材であることを特徴とする。
【発明の効果】
【００１１】
本発明によれば、太陽光の差し込む窓面に設けられ、室内への採光を調節するブラインドであって、水平方向に延びる羽根を鉛直方向に間隔を持って多数配列し、前記羽根で反射した太陽光が上部の羽根ほど室奥の天井に向かい、下部の羽根ほど窓際の天井に向かうように、前記羽根の傾斜角度を、上部の羽根から下部の羽根にかけて順次変化させたブラインドと、前記羽根で反射した太陽光が向かう天井面に設けられ、赤外線を吸収する機能を有した冷暖房用の輻射パネルとを備える。
【００１２】
このため、ブラインドから室内に入射する太陽光は、羽根で反射して天井面の輻射パネルを窓際から室奥まで均一に照らす。これにより、天井面の輻射パネルから室内に出射する光を室内の間接照明とすることができる。一方、太陽光の取り込みと同時に室内に導入される熱成分の赤外線は輻射パネルにより吸収されるので、ペリメータの熱負荷は増大しない。したがって、室内照明と空調のエネルギー消費を抑制することができるという効果を奏する。
【図面の簡単な説明】
【００１３】
【図１】図１は、本発明に係る輻射式空調システムの実施例を示す側断面図である。
【発明を実施するための形態】
【００１４】
以下に、本発明に係る輻射式空調システムの実施例を図面に基づいて詳細に説明する。なお、この実施例によりこの発明が限定されるものではない。
【実施例】
【００１５】
図１に示すように、本発明に係る輻射式空調システム１０は、太陽光２（外光）の差し込む複層ガラス４（窓面）に設けられ、太陽光２を室内６の天井面８に反射させる日射利用型のブラインド１２と、天井面８に設けられ、赤外線を吸収する機能を有した冷暖房用の天井輻射パネル１４とを備える。
【００１６】
ブラインド１２は、水平方向に延びる羽根１６を鉛直方向に間隔を持って多数配列し、羽根１６で反射した太陽光２ａが上部の羽根１６ほど室奥Ｂの天井に向かい、下部の羽根１６ほど窓際Ａの天井に向かうように、羽根１６の傾斜角度を、上部の羽根１６から下部の羽根１６にかけて順次変化させたものである。
【００１７】
このようなブラインド１２として、例えば、時々刻々変化する太陽光の入射角度、照度等に応じて羽根を１枚づつ微妙に変化させるグラデーションブラインド（登録商標）などの自動制御ブラインドを用いることができる。
【００１８】
天井輻射パネル１４は、赤外線を吸収する機能を有した冷暖房用のパネルであり、ブラインド１２の羽根１６で反射した太陽光２ａが向かう天井面８に設けられる。天井輻射パネル１４は、天井材１８の裏側に冷温水配管２０を敷設したものであり、冷温水配管２０内の水温や流量を調節することにより温度調節が可能で、冷房時には２０℃程度、暖房時には３０℃程度に保つようにしてある。天井輻射パネル１４の熱は、冷温水配管２０を通じて室外に設けた図示しない熱交換器で処理するようにしてある。
【００１９】
上記構成の動作および作用について説明する。
ブラインド１２から室内６に入射する太陽光２は、羽根１６によって天井面８に反射し、反射光２ａは天井輻射パネル１４を窓際Ａから室奥Ｂまで均一に照らす。この場合、天井輻射パネル１４で反射して室内６に向けて出射する光２ｂを室内の間接照明とすることができる。
【００２０】
一方、太陽光２の取り込みと同時に室内６に導入される熱成分の赤外線は、温度調節が可能である天井輻射パネル１４に吸収される。これにより、日射による熱負荷は室内空間に熱として持ち込まれることはなく、効率的に熱の除去が行え、ペリメータの熱負荷は増大しない。したがって、照明エネルギー、空調エネルギーともエネルギー消費の抑制効果が期待できる。
【００２１】
上記の実施の形態において、天井面８（天井輻射パネル１４）は、可視光線を反射する部材で構成するのが望ましく、例えば、可視光線を効率よく反射するために白色の部材とするのが有効である。
【００２２】
また、上記の実施の形態において、室外の外光（太陽光）の強さを検出する外光センサ（不図示）を設け、このセンサで検出した外光の強さに応じて室内照明の出力を制御してもよい。このようにして、照明エネルギー消費を削減し、太陽光の可視光線を積極的に利用するようにする。
【００２３】
以上説明したように、本発明に係る輻射式空調システムによれば、太陽光の差し込む窓面に設けられ、室内への採光を調節するブラインドであって、水平方向に延びる羽根を鉛直方向に間隔を持って多数配列し、前記羽根で反射した太陽光が上部の羽根ほど室奥の天井に向かい、下部の羽根ほど窓際の天井に向かうように、前記羽根の傾斜角度を、上部の羽根から下部の羽根にかけて順次変化させたブラインドと、前記羽根で反射した太陽光が向かう天井面に設けられ、赤外線を吸収する機能を有した冷暖房用の輻射パネルとを備えるので、ブラインドから室内に入射する太陽光は、羽根で反射して天井面の輻射パネルを窓際から室奥まで均一に照らす。このため、天井面の輻射パネルから室内に出射する光を室内の間接照明とすることができる。一方、太陽光の取り込みと同時に室内に導入される熱成分の赤外線は輻射パネルにより吸収されるので、ペリメータの熱負荷は増大しない。したがって、室内照明と空調のエネルギー消費を抑制することができるという効果を奏する。
【産業上の利用可能性】
【００２４】
以上のように、本発明に係る輻射式空調システムは、日射利用型のブラインドを備える室内の空調システムに有用であり、特に、室内照明と空調のエネルギー消費を抑制するための空調システムに適している。
【符号の説明】
【００２５】
２，２ａ  太陽光（外光）
２ｂ  光
４  複層ガラス（窓面）
６  室内
８  天井面
１０  輻射式空調システム
１２  ブラインド
１４  天井輻射パネル（輻射パネル）
１６  羽根
１８  天井材
２０  冷温水配管
Ａ  窓際
Ｂ  室奥
【図１】
2011002106.tif 000003